(57)【特許請求の範囲】
【請求項１】
二組の窓枠を方立で結合して構成した連窓サッシであって、上記窓枠が左右縦枠と上下横枠とで構成され、左右縦枠の室内側の面に額縁を有し、上記左右縦枠の方立に面した面に上記左右縦枠と上記上横枠とを連結する固着具を利用してアタッチメントを取り付け、このアタッチメントと上記方立の室内面板とを室内側から固着具で固定し、上記方立の室内面板が臨む左右額縁間の室内側を覆い部材で覆ったことを特徴とする連窓サッシ。
【発明の詳細な説明】
【０００１】
【発明の属する技術分野】
本発明は、二組の窓枠を方立で結合した連窓サッシに関する。
【０００２】
【従来の技術】
一般に、二組の窓枠を方立で結合して構成した連窓サッシであって、この連窓に高級感を持たせるために、上記窓枠における左右縦枠の室内側の面に、例えば木目調の木材製額縁等を配設した連窓サッシが知られている。この種のものでは、図４に示すように、二組の窓枠における左右縦枠５１，５２を方立５３で結合する場合、左右縦枠５１，５２の両側から、方立５３の受け部５３Ａにねじ５４，５５を螺入することによりそれらを結合するのが一般的である。
【０００３】
【発明が解決しようとする課題】
しかしながら、この方立５３による結合は現場作業である。従って、例えば工場出荷の段階で、左右縦枠５１，５２の両側面に木製額縁５６が取り付けられている場合、現場でこの額縁５６を一旦取り外し、上記ねじ５４，５５を用いて左右縦枠５１，５２と方立５３とを結合し、その後に、左右縦枠５１，５２の両側面に額縁５６を再組み付けしなければならない。このような作業を現場で行った場合、上記額縁５６を再組み付けするときに、この額縁５６が微妙にずれて取り付けられるおそれがある。この額縁５６がずれて取り付けられた場合、美観が低下し高級感が損なわれるという問題がある。
【０００４】
そこで、本発明の目的は、上記額縁を取り外すことなく、左右縦枠と方立とを簡単に結合することができる連窓サッシを提供することにある。
【０００５】
【課題を解決するための手段】
請求項１記載の発明は、二組の窓枠を方立で結合して構成した連窓サッシであって、上記窓枠が左右縦枠と上下横枠とで構成され、左右縦枠の室内側の面に額縁を有し、上記左右縦枠の方立に面した面に上記左右縦枠と上記上横枠とを連結する固着具を利用してアタッチメントを取り付け、このアタッチメントと上記方立の室内面板とを室内側から固着具で固定し、上記方立の室内面板が臨む左右額縁間の室内側を覆い部材で覆ったことを特徴とするものである。
【０００６】
本発明では、左右縦枠の方立に面した面にアタッチメントが取り付けられ、このアタッチメントと方立の室内面板とが室内側から固着具で固定されるため、左右縦枠の室内側の面から額縁を取り外すことなく、左右縦枠と方立とを結合することができる。また、方立の室内面板が臨む左右額縁間の室内側は、覆い部材によって覆われるため、美観が向上し、高級感が得られる。
【０００８】
本発明では、アタッチメントが左右縦枠と上横枠とを連結する固着具を利用して左右縦枠に固定されているため、アタッチメントを取り付けるための特別な固着具が不要となり、取り付け作業が容易となる。
【０００９】
【発明の実施の形態】
以下、添付図面を参照して本発明の一実施形態を詳細に説明する。
【００１０】
図１は、連窓サッシの横断面図である。この連窓サッシは縦滑り出し窓１と嵌殺し窓５とを備えて構成されている。上記縦滑り出し窓１は、窓枠１０の内側に障子１１を縦滑り式に開閉自在に備え、さらに網戸１２を備えて構成されている。１３は障子１１の開閉用のハンドルである。上記窓枠１０は、左縦枠１０Ａと右縦枠１０Ｂとこれらを上下で連結する上下横枠（図示せず）とで構成されている。なお、この窓枠１０は室内側部材と室外側部材とを断熱ブリッジ３で連結して構成された断熱タイプの窓枠である。
【００１１】
上記窓枠１０における左右縦枠１０Ａ，１０Ｂの室内側の面、上記障子１１の室内側の面、及び上記網戸１２の室内側の面には、複数ピースに分割されて木製額縁１５が取り付けられている。
【００１２】
一方、上記嵌殺し窓５は、窓枠５０の内側に障子５１を固定的に備えて構成されている。上記窓枠５０は、左縦枠５０Ａと右縦枠５０Ｂとこれらを上下で連結する上下横枠（図示せず）とで構成されている。この窓枠５０も上記縦滑り出し窓１の窓枠１０と同様に室内側部材と室外側部材とを断熱ブリッジ３３で連結して構成された断熱タイプの窓枠である。
【００１３】
上記窓枠５０における左右縦枠５０Ａ，５０Ｂの室内側の面、及び上記障子５１の室内側の面には、複数ピースに分割されて上記木製額縁１５と同様の木製額縁５５が取り付けられている。
【００１４】
本実施形態では、上記二組の窓枠１０，５０が、方立２０を用いて結合されている。すなわち、窓枠１０の右縦枠１０Ｂと窓枠５０の左縦枠５０Ａとが、方立２０を用いて結合されている。
【００１５】
つぎに、方立２０による連結構造を説明する。
【００１６】
上記左右縦枠１０Ｂ，５０Ａの方立２０に面した面に、図２に示すように、ねじ２１を介して、左右縦枠１０Ｂ，５０Ａの長手方向略一杯に延びるアタッチメント２２が取り付けられ、このアタッチメント２２には室内側に臨むねじ受けホール部２３が一体的に形成されている。
【００１７】
図３に示すように、アタッチメント２２を右縦枠１０Ｂに固定する場合、窓枠１０の右縦枠１０Ｂと上横枠１０Ｃとを結合するねじ２１を用いて一体に固定することが望ましい。また、同様に、アタッチメント２２を左縦枠５０Ａに固定する場合、窓枠５０の左縦枠５０Ａと上横枠とを結合するねじ２１を用いて一体に固定することが望ましい。アタッチメント２２に設けたねじ２１のねじ孔２２Ａは長孔である。引き違い、縦滑り等の窓種によって縦枠側に設けたねじ孔２６の位置が左右にずれるため、このずれを吸収して、異なる窓種の縦枠にもこのアタッチメント２２を取り付け可能にするためである。
【００１８】
一方、図２に示すように、方立２０には室内側に臨む室内面板２５が一体的に形成され、この室内面板２５はねじ受けホール部２３の外側に当接する。これによれば、方立２０の室内面板２５が臨む左右額縁１５，５５間に、図示を省略したドライバ等の工具を挿入し、室内側から室内面板２５とアタッチメント２２とをねじ２７で結合することができる。このねじ２７による固定位置は方立２０の長手方向に例えば３００ｍｍピッチで配列される。
【００１９】
最後に、室内面板２５が臨む左右額縁１５，５５間には、額縁１５，５５と同材質の木製覆い部材２９が固定される。
【００２０】
本実施形態では、工場出荷の段階で、左右縦枠１０Ｂ，５０Ａの室内側の面に木製額縁１５，５５が取り付けられていた場合、従来のものと比べ、現場でこの額縁１５，５５を取り外すことなく、それを取り付けたまま、左右縦枠１０Ｂ，５０Ａと方立２０とを結合することができる。
【００２１】
従って、従来のように、現場で額縁を一旦取り外し、左右縦枠と方立とを結合した後に、額縁を再組み付けする等の作業が不要になり、再組付け時の額縁の微妙なずれ等の発生が解消される。
【００２２】
以上、一実施形態に基づいて本発明を説明したが、本発明は、上記実施形態に限定されるものでないことは明らかである。
【００２３】
上記実施形態による連窓サッシは、同一面内に配置されているが、これに限定されず、例えば、９０°、６０°のように、所定角度を有して配置された連窓サッシにも適用可能なことはいうまでもない。
【００２４】
【発明の効果】
請求項１記載の発明では、左右縦枠の方立に面した面にアタッチメントが取り付けられ、このアタッチメントと方立の室内面板とが室内側から固着具で固定されるため、左右縦枠の室内側の面から額縁を取り外すことなく、左右縦枠と方立とを結合することができる。また、方立の室内面板が臨む左右額縁間の室内側は、覆い部材によって覆われるため、美観が向上し、高級感が得られる。
【００２５】
また、アタッチメントが左右縦枠と上横枠とを連結する固着具を利用して左右縦枠に固定されているため、アタッチメントを取り付けるための特別な固着具が不要となり、取り付け作業が容易となる。
【図面の簡単な説明】
【図１】本発明による連窓サッシの一実施形態を示す横断面図である。
【図２】方立による結合部分を示す断面図である。
【図３】アタッチメントの取付部分を示す分解斜視図である。
【図４】従来の方立による結合部分を示す断面図である。
【符号の説明】
１  縦滑り出し窓
３，３３  断熱ブリッジ
５  嵌殺し窓
１０，５０  窓枠
１０Ａ，５０Ａ  左縦枠
１０Ｂ，５０Ｂ  右縦枠
１１，５１  障子
１２  網戸
１５，５５  額縁
２０  方立
２２  アタッチメント
２５  室内面板
２７  ねじ（固着具）
２９  覆い部材
【図１】
0003548716.tif 000002
【図２】
0003548716.tif 000003
【図３】
0003548716.tif 000004
【図４】
0003548716.tif 000005